(57)【要約】【課題】レンズ部材を取り付ける取付け孔を介して電源装置基板に対して行われる不正行為を効果的に防止可能な遊技機を提供する。【解決手段】遊技機の一例であるスロットマシンは、前側が開口する筐体に遊技者に面するフロントドア１０を開閉自在に取り付け、フロントドア１０のパネル部１１に枠組み１３を取り付け、フロントドア１０に取り付けられるプリント基板４１に実装された光源に対向配置されてパネル部１１に設けられた取付け孔４５に係止部４４を挿入して取付けられるレンズ部材４３を備え、取付け孔４５のパネル部裏面側のパネル部１１及び縦フレーム１４，１５の少なくともいずれかに、取付け孔４５の周囲を囲んでフロントドア裏面側に延びるリブ４７を設ける。リブ４７の先端部に開口する開口部は枠組み１３の縦フレーム１４，１５によって塞がれる。【選択図】図４
2008245755.tif 000002
【特許請求の範囲】
【請求項１】
前側が開口する筐体の前側に遊技者に面するフロントドアを開閉自在に取り付け、該フロントドアのパネル部の裏面側に枠組みを取り付け、前記パネル部に設けられた取付け孔に係止部を挿入して取付けられるプラスチック材料製の装飾部品を設けた遊技機において、
前記取付け孔のパネル部裏面側のパネル部及び前記枠組みの少なくともいずれかに、該取付け孔の周りを囲む囲み部材を設けたことを特徴とする遊技機。
【請求項２】
前記囲み部材の先端部に開口する開口部を、前記パネル部の側面内側に配設された前記枠組みの縦フレームによって塞ぐことを特徴とする請求項１に記載の遊技機。
【発明の詳細な説明】
【技術分野】
【０００１】
本発明は、フロントドアのパネル部に設けられた取付け孔に係止部を挿入して取付けられるプラスチック材料製の装飾部品を設けた遊技機に関する。
【背景技術】
【０００２】
従来より、パチンコやスロットマシンのフロントドアのパネル部の表側には、プラスチック材料製の演出用ランプや化粧板等の装飾部品が取り付けられている。
例えば、スロットマシンの場合では、特許文献１に記載されているように、パネル部の上部、パネル部の中間両側部、パネル部の下部の両側部等に演出用ランプが取り付けられ、パネル部の中央部に配設されたストップボタンの周囲に化粧板が取り付けられている。
【０００３】
これらの装飾部品のうち、パネル部下部の両側部に設けられた演出用ランプ６２は、図５（正面図）に示すように、フロントドア１０のパネル部６１の下部両側部内に配設された複数の光源６３と、パネル部６１の下部に装着された下パネル６５の左右両側部に設けられた取付け孔に係止部を挿入して取り付けられて光源６３に対向配置されたレンズ部材６４を有して構成されている。
【０００４】
このレンズ部材６４はプラスチック材料等で一体成型されたものであり、レンズ部材６４の係止部はレンズ部材６４の裏面の周縁部から突出するアーム部の先端部に突起部を設けて形成されている。このレンズ部材６４をパネル部６１の側部に装着するために係止部を対応する取付け孔に挿入すると、アーム部が弾性変形して突起部が取付け孔内を移動し、突起部が取付け孔のパネル部裏面側に出るとアーム部が元の位置に戻ろうとして突起部が取付け孔に係止される。
【０００５】
【特許文献１】特開２００５−１４３６５２号公報
【発明の開示】
【発明が解決しようとする課題】
【０００６】
しかしながら、この従来のレンズ部材の取付け方法では、レンズ部材の端部とパネル部との間に棒状部材が挿入されたり、係止部のアーム部の外側に配置されたパネル部の側壁に孔を開け、この孔から棒状部材が挿入されたりすると、アーム部を横方向から押圧することが可能になって、突起部の係止状態の解除が可能になってしまう。そして、突起部の係止状態が解除されて係止部が取付け孔から抜脱されると、取付け孔が開口状態となり、この取付け孔を介してスロットマシン内に設置された主電源装置に設けられた電源装置基板に対して不正操作が行われるという問題が発生する。この問題は、レンズ部材と同様の取付け方法を採っているプラスチック材料製の化粧板でも同様に発生する。そして、このような電源装置基板に対する不正操作が行われると、スロットマシンの抽選確率が高い値に変更されてメダルの払い出し枚数が増大して公正な遊技の提供ができなくなる。このため、このような不正行為を効果的に抑制可能な遊技機の提供が望まれている。
【０００７】
本発明は、このような要望に応えるものであり、フロントパネルに設けられてプラスチック材料製の装飾部品を取り付ける取付け孔から電源装置基板に対して行われる不正行為を効果的に抑制可能な遊技機を提供することを目的とする。
【課題を解決するための手段】
【０００８】
このような課題を解決するため、本発明は、以下の特徴を有する。特徴の一つは、前側が開口する筐体の前側に遊技者に面するフロントドアを開閉自在に取り付け、該フロントドアのパネル部の裏面側に枠組みを取り付け、パネル部に設けられた取付け孔に係止部を挿入して取付けられるプラスチック材料製の装飾部品（例えば、実施形態におけるレンズ部品４３）を設けた遊技機（例えば、実施形態におけるスロットマシン１）において、取付け孔のパネル部裏面側のパネル部及び枠組みの少なくともいずれかに、該取付け孔の周りを囲む囲み部材（例えば、実施形態におけるリブ４７）を設けたことを特徴とする。
【０００９】
この特徴によれば、取付け孔のパネル部裏面側のパネル部及び枠組みの少なくともいずれかに、取付け孔の周りを囲む囲み部材を設けることにより、パネル部とレンズ部材との間から挿入された棒状部材等によって係止部の係止状態が解除されて係止部が取付け孔から抜脱され、開口状態にされた取付け孔から不正行為を行うための棒状部材が挿入されても、囲み部材によって棒状部材のさらなる侵入を阻止することができる。このため、筐体下部に設けられた主電源装置の電源装置基板に対する不正行為を効果的に抑制可能な遊技機を提供することができる。
【００１０】
また特徴の一つは、囲み部材の先端部に開口する開口部を、パネル部の側面内側に配設された枠組みの縦フレームによって塞ぐことを特徴とする。
この特徴によれば、囲み部材の先端部に開口する開口部を枠組みの縦フレームによって塞ぐことで、取付け孔に不正行為を行うための棒状部材が挿入されても、囲み部材及び蓋部材によって棒状部材のさらなる侵入を確実に阻止することができる。このため、主電源装置の電源装置基板に対する不正行為を確実に防止可能な遊技機を提供することができる。また既存の部品が有効に利用されて、遊技機のコストの増大を抑制することができる。
【発明の効果】
【００１１】
本発明に係わる遊技機によれば、上記特徴を有することによって、フロントパネルに設けられてプラスチック材料製の装飾部品を取り付ける取付け孔から電源装置基板に対して行われる不正行為を効果的に抑制可能な遊技機を提供することができる。
【発明を実施するための最良の形態】
【００１２】
以下、本発明に係わる遊技機の好ましい実施の形態を図１から図４に基づいて説明する。本実施の形態は、遊技機の一例であるスロットマシンについて説明する。
【００１３】
スロットマシン１は、図１（正面図）及び図２（内部構造図）に示すように、遊技者に面するフロントドア１０と、フロントドア１０を開閉自在に取り付けた筐体３０とを有して構成される。フロントドア１０は、機械的に強固な硬質プラスチック製のパネル部１１に矩形状の枠組み１３を取り付けて構成されている。
【００１４】
枠組み１３は、パネル部１１内の左右両側の側壁１１ａ，１１ｂに沿って取り付けられた一対の縦フレーム１４，１５と、パネル部１１の上壁１１ｃの内側に沿ってパネル部幅方向に延びる横フレーム１６とを有してなる。右側の側壁１１ｂに沿って取り付けられた縦フレーム１５には施錠装置ユニット１８が取り付けられている。これらのフレーム１４，１５，１６は板金の折り曲げ成型によって形成される。
【００１５】
パネル部１１の上部には、演出用の上部ランプ１１ｄ、スピーカを備えた放音部１１ｅ，１１ｆ、液晶ディスプレイ等を有した演出表示装置１１ｇが配設されている。そして、パネル部１１の中間部には、透明な硬質プラスチック板で形成された略長方形状の透過窓ＷＤと演出用ランプ１１ｈ，１１ｉが設けられ、筐体３０内に設けられたリール装置３１のリールＲ１、Ｒ２、Ｒ３を、遊技者が透過窓ＷＤを介して見ることが可能となっている。
【００１６】
パネル部１１の中間部の下側には、遊技者が操作するための操作パネル部２０が設けられ、この操作パネル部２０には各種のボタン等（メダル投入部ＭＤ、ベットボタンＢ、スタートレバーＳＴ、ストップボタンＳＰ１，ＳＰ２，ＳＰ３）が設けられている。
【００１７】
操作パネル部２０の右端には、フロントドア１０を開錠するための鍵穴ＫＹが設けられ、鍵穴ＫＹに正規の鍵を挿入して開錠操作すると、フロントドア１０を筐体３０から開くことが可能となっている。また、操作パネル部２０の左端には、精算ボタンＭＲが設けられ、ゲームに賭けたメダルの払い出しを指示すると共に、メダルクレジット手段（図示せず）が内部保留したメダルの払い出しの指示が可能になっている。
【００１８】
パネル部１１の下部には、本スロットマシン１のゲーム内容を紹介等するための絵（図示略）が描かれるとともに、その両側には演出用ランプ２２，２２が設けられている。これらの演出用ランプ２２，２２の取り付け方法については後述する。ゲーム内容を紹介する絵の下方には、遊技メダルを払い出すための排出口１１ｊ、メダル受皿１１ｋ、放音部１１ｍが設けられている。
【００１９】
フロントドア１０の裏面側の上部には、前述した放音部１１ｅ，１１ｆのスピーカＳＲ，ＳＬが設けられ、スピーカＳＲ，ＳＬの間には前述した演出表示装置１１ｇが設けられている。演出表示装置１１ｇの下方には、透過窓ＷＤを形成する略長方形状の枠体１９が取り付けられており、この枠体１９の下方には、メダル投入部ＭＤより投入された投入物が正規の遊技メダルか否かを判別して振り分けるセレクト機構Ｇ０と、セレクト機構Ｇ０で振り分けられた遊技メダルを筐体３０側に設けられたホッパ装置ＨＰへ案内するガイド部材Ｇ１と、セレクト機構Ｇ０で振り分けられた異物を排出口１１ｊへ案内するガイド部材Ｇ２と、ホッパ装置ＨＰから出力される払い出し用のメダルを排出口１１ｊへ案内するガイド部材Ｇ３とが設けられている。排出口１１ｊの近傍には、前述した放音部１１ｍを構成するスピーカＳＷが取り付けられている。
【００２０】
枠体１９とセレクト機構Ｇ０との間には、長尺状の電気回路基板で形成された中央表示基板２１が取り付けられ、この中央表示基板２１には、前述した操作パネル部２０に設けられているベットボタンＢと、スタートレバーＳＴと、ストップボタンＳＰ１，ＳＰ２，ＳＰ３等が電気的に配線接続されている。これらのボタンＢ，ＳＴ，ＳＰ１，ＳＰ２，ＳＰ３の出力信号はハーネスを介して筐体３０に設けられたメイン制御基板３３に転送される。
【００２１】
筐体３０内には、主電源装置ＰＷＵと、ホッパ装置ＨＰから溢れた遊技メダルを収容する補助貯留部ＳＨＰが設けられる他、前述したリール装置３１が設けられている。主電源装置ＰＷＵの側面には電源装置基板３４が取り付けられ、リール装置３１の上端には回胴装置基板３５が取り付けられ、リール装置３１の上方には前述したメイン制御基板３３が取り付けられている。メイン制御基板３３は、半導体メモリ（ＲＯＭ）とマイクロプロセッサ（ＭＰＵ）等が搭載されており、このマイクロプロセッサ（ＭＰＵ）が、半導体メモリ（ＲＯＭ）に予め記憶されているシステムプログラムとスロットマシンゲーム用のプログラムを実行し、電源装置基板３４、回胴装置基板３５及び後述するサブ制御基板１７に所定の指令を行って夫々に分散制御を行わせることにより、本スロットマシン１全体を集中制御する。
【００２２】
演出表示装置１１ｇの裏面側には、電気回路基板で形成されたサブ制御基板１７が設けられている。このサブ制御基板１７は、演出表示装置１１ｇによって表示される演出画像の制御を行うマイクロプロセッサと、このマイクロプロセッサが実行するコンピュータプログラム及び演出用データを記憶した読み出し専用メモリ（ＲＯＭ）と、演出処理の実行中に生じる各種データを一時的に記憶するランダムアクセスメモリ（ＲＡＭ）等を備えた電気回路が搭載されている。そして、このサブ制御基板１７は、メイン制御基板３３からの制御信号に従って、上部ランプ１１ｄ，演出用ランプ１１ｈ，１１ｉ，２２とスピーカＳＲ，ＳＬ，ＳＷを駆動して遊技者の視覚及び聴覚に訴える演出を行うと共に、演出表示装置１１ｇを制御して遊技内容に応じた演出表示を行わせる。
【００２３】
このサブ制御基板１７は、不正行為を防止するための基板ケース４０内に収容されており、この基板ケース４０ごと一体として演出表示装置１１ｇの裏面側に着脱可能に取り付けられている。
【００２４】
パネル部１１の下部両側に設けられた演出用ランプ２２，２２は、図３（斜視図）に示すように、プリント基板４１上に実装された複数の光源（例えば、ＬＥＤ）４２と、光源４２に対向配置されてパネル部１１の側部に取り付けられるレンズ部材４３とを有してなる。
【００２５】
プリント基板４１は上下方向に延び、その上端部は鍵穴ＫＹ又は精算ボタンＭＲよりもパネル部内側に延びて配置され、ボルト等の締結手段によってプリント基板４１がパネル部１１に固定される。レンズ部材４３は正面視において逆三角状であり、その外側端部はレンズ部材裏面側に屈曲して延び、レンズ部材４３の上部には鍵穴ＫＹ又は精算ボタンＭＲを露出するための孔部４３ａが設けられている。レンズ部材４３の裏面の周縁部には、レンズ部材裏面側に延びるアーム部４４ａの先端部に突起部４４ｂを有した係止部４４が複数設けられている。レンズ部材４３は合成樹脂材料等で一体成型され、アーム部４４ａは片持ち支持された状態で弾性変形が可能である。パネル部１１の両側部には、係止部４４の突起部４４ｂを係止するための取付け孔４５が複数設けられている。なお、係止部４４は、隣接する他の係止部４４との間の間隔を比較的短い距離（例えば、２０ｍｍ〜３０ｍｍ）を有して配設するのがよい。これは、ある一つの係止部４４の係止状態が解除されて取付け孔を介して不正行為が行われる場合、係止状態にある隣接する他の係止部４４は係止解除された係止部４４に対して比較的短い距離の位置に配置されているので、棒状部材がレンズ部材とパネル部との間に挿入されても、レンズ部材４３の変形量を小さくすることができ、棒状部材の挿入操作をし難くして、不正行為を効果的に抑制することができるからである。
【００２６】
レンズ部材４３をパネル部１１の側部に装着するために、係止部４４の突起部４４ｂを対応する取付け孔４５に挿入すると、アーム部４４ａは弾性変形して突起部４４ｂが取付け孔４５内を移動し突起部４４ｂが取付け孔４５のパネル部裏面側から出るとアーム部４４ａが元の位置に戻ろうとして突起部４４ｂが取付け孔４５に係止されて、レンズ部材４３の周縁部がパネル部１１の側部に殆ど隙間の無い状態で装着される。このため、突起部４４ｂの取付け孔４５に対する係止状態の解除は、一般的に困難である。
【００２７】
しかしながら、先端が細く尖った棒状部材の先端部をレンズ部材４３の周縁部とパネル部１１の側部の間に挿入したり、アーム部４４ａの外側のパネル部１１の側壁１１ａ，１１ｂに孔を開け、この孔から棒状部材を挿入したりすると、アーム部４４ａを横方向から押圧することが可能となって、突起部４４ｂの取付け孔４５に対する係止状態の解除が可能になる。その結果、取付け孔４５が開口し、この取付け孔４５を介して図２に示す主電源装置ＰＷＵに設けられた電源装置基板３４に対して不正操作が行われ虞が生じる。
【００２８】
そこで、図４（裏面側斜視図）に示すように、パネル部１１の裏面に、取付け孔４５を囲むようにしてパネル部裏面側へ突出するリブ４７を設けている。このリブ４７は、背面視において略矩形状であり、パネル部１１の側壁１１ａ，１１ｂに沿って延びる第１リブ４７ａと、第１リブ４７ａの上端部に繋がってパネル部幅方向に延びる第２リブ４７ｂと、第１リブ４７ａの下端部に繋がってパネル部幅方向に延びる第３リブ４７ｃとを有してなり、第２リブ４７ｂと第３リブ４７ｃの各先端部はパネル部１１の側壁１１ａ，１１ｂに繋がっている。これらのリブ４７ａ，４７ｂ，４７ｃは略同一高さを有している。
【００２９】
枠組み１３の縦フレーム１４，１５をパネル部１１の側部に取り付けると、縦フレーム１４，１５の下側部分によって矩形状に配設されたリブ４７の上部に開口する開口部を覆う。その結果、取付け孔４５のパネル部裏面側の空間部は閉塞された状態になる。
【００３０】
このため、この取付け孔４５のパネル部表面側から図示しない棒状部材が挿入されて、図２に示す主電源装置ＰＷＵの電源装置基板３４に対して不正操作をしようとしても、棒状部材の先端部はリブ４７，側壁１１ａ，１１ｂ，縦フレーム１４，１５で囲まれた空間部から外側に延出することができないので、電源装置基板３４に対する不正行為を確実に防止することができ、スロットマシン１の抽選確率が高い値に変更されてメダルの払い出し枚数が増大して公正な遊技の提供ができなくなる事態を確実に防止することができる。
【００３１】
なお、リブ４７の設け場所はパネル部１１に限るものではなく、縦フレーム１４，１５の下部表側に設けたり、パネル部裏面側と縦フレーム１４，１５の下部表側の両方に設けてもよい。またリブ４７の背面視における形状は矩形状の他に、三角状、円形状、円弧状等のいずれでもよい。さらに、本実施の形態では、レンズ部材４３の一つの係止部４４を係止するための取付け孔４５のパネル部裏面側にリブ４７を設けた場合を示したが、他の取付け孔４５の全部又は一部のパネル部裏面側に同様のリブを設けてもよい。
【００３２】
また前述した実施例では、スロットマシン１を例にしたが、パチンコやゲームセンタで用いられているゲーム機などを対象にしてもよい。
【図面の簡単な説明】
【００３３】
【図１】本発明の一実施の形態に係わるスロットマシンの正面図を示す。
【図２】このスロットマシンのフロントドアを開けた状態におけるフロントドア及び筐体の内部構造図を示す。
【図３】フロントドアの両側部に取り付けられる演出用ランプの表面側分解斜視図を示す。
【図４】フロントドアの両側部に取り付けられる演出用ランプの裏面側分解斜視図を示す。
【図５】従来のスロットマシンの正面図を示す。
【符号の説明】
【００３４】
１  スロットマシン（遊技機）
１０  フロントドア
１１  パネル部
１３  枠組み
１４，１５  縦フレーム
３０  筐体
４３  レンズ部材（装飾部品）
４４  係止部
４５  取付け孔
４７  リブ（囲み部材）
【図１】
2008245755.tif 000003
【図２】
2008245755.tif 000004
【図３】
2008245755.tif 000005
【図４】
2008245755.tif 000006
【図５】
2008245755.tif 000007